(57)【要約】【課題】ユーザが登録した地点を、ユーザが設定する分類規則によりジャンル化し、所望の地点を探しだすことを容易にすることにより、ユーザの使い勝手を向上させる。【解決手段】複数種類の基準パラメータを予め記憶し、入力された地点情報のパラメータと基準パラメータとの間に共通性があると判定した場合には、入力された地点情報を共通性の内容に対応する分類に振り分ける地点振り分け手段１０７と、入力された地点情報を登録し、入力された指定分類に応じて、その指定分類に登録した地点情報のリストを地図表示手段１０３に表示する。【選択図】        図１
2004279189.tif 000002
【特許請求の範囲】
【請求項１】
登録対象となる地点情報の属性を表す複数種類のパラメータを操作に応じて入力するとともに、登録された地点情報のリスト表示の指示を入力する情報入力手段と、
様々な地点情報のパラメータの判定基準となる複数種類の基準パラメータを予め記憶し、前記情報入力手段から入力された地点情報のパラメータと前記基準パラメータとの間に共通性があると判定した場合には前記入力された地点情報を前記共通性の内容に対応する少なくとも１つの分類に振り分ける地点振り分け手段と、
前記地点振り分け手段によって振り分けられた前記分類結果を分類情報として記憶し、前記情報入力手段によって入力されたリスト表示の指示に含まれている指定分類に応じてその指定分類に該当する地点情報のリストを地図表示手段に表示する地点登録手段と
を備えた車載ナビゲーション装置。
【請求項２】
地点振り分け手段は、入力された地点情報のパラメータの一部として基準パラメータが含まれている場合に共通性があると判定することを特徴とする請求項１記載の車載ナビゲーション装置。
【請求項３】
地点振り分け手段は、入力された地点情報のパラメータが経緯度の値である場合には基準パラメータの経緯度の値からの距離が所定範囲である場合に共通性があると判定することを特徴とする請求項２記載の車載ナビゲーション装置。
【請求項４】
地点振り分け手段は、入力された地点情報のパラメータが電話番号である場合には基準パラメータの電話番号の数字列が前記地点情報のパラメータの数字列の先頭部分と一致する場合に共通性があると判定することを特徴とする請求項２記載の車載ナビゲーション装置。
【請求項５】
地点振り分け手段は、入力された地点情報のパラメータが名称を表す文字列である場合には基準パラメータの文字列が前記地点情報のパラメータの文字列の一部と一致する場合に共通性があると判定することを特徴とする請求項２記載の車載ナビゲーション装置。
【請求項６】
地点振り分け手段は、入力された地点情報のパラメータがシンボルを表す画像である場合には基準パラメータの画像が前記地点情報のパラメータの画像と一致する場合に共通性があると判定することを特徴とする請求項１記載の車載ナビゲーション装置。
【請求項７】
地点振り分け手段は、情報入力手段によって基準パラメータを変更する指示が入力された場合にはその変更指示に従って記憶している基準パラメータを更新することを特徴とする請求項１記載の車載ナビゲーション装置。
【発明の詳細な説明】
【０００１】
【発明の属する技術分野】
この発明は、車両を目的地まで案内する車載ナビゲーション装置に関し、特に、地点情報を登録する機能をもつ車載ナビゲーション装置に関するものである。
【０００２】
【従来の技術】
従来、ユーザにより指定された地点を記憶する地点登録機能を有し、地点リストを表示する際に、使用回数が多い順に並び替えて表示する車載ナビゲーション装置が提案されている。この提案の車載ナビゲーション装置は、ユーザにより指定された位置を地点登録データとして記憶するとともに、各地点登録データ毎に目的地又は通過点として使用した使用回数を記憶する地点登録記憶部と、地点登録記憶部から地点登録データを読み出し使用回数の順番に並べ替えて表示部に表示し、ユーザが地点登録データを目的地又は通過点の設定に使用するとその地点登録データの使用回数を更新する制御部とを有する構成になっている（例えば、特許文献１参照）。
【０００３】
【特許文献１】
特開平１０−３３２４１０号公報（段落番号「０００９」、図５）
【０００４】
【発明が解決しようとする課題】
しかしながら、上記従来の車載ナビゲーション装置では、使用回数が多い順に地点リストを並び替えて表示するようになっているため、ユーザが希望する並び替えを必ずしも実現するとは限らず、また、ユーザが希望する並び替えが実現できたとしても所望の地点がリストの前方に配置されるとは限らないため、ユーザは登録された地点情報を取得するためにリストの並び替えを行い、多数の画一的な登録された地点情報リストから所望の登録された地点情報を選び出さなければならないという課題があった。
【０００５】
この発明は上記のような課題を解決するためになされたもので、ユーザが登録した地点を、ユーザが設定する分類規則によりジャンル化し、所望の地点を探しだすことを容易にすることにより、ユーザの使い勝手を向上させることが可能な車載ナビゲーション装置を得ることを目的とする。
【０００６】
【課題を解決するための手段】
この発明に係る車載ナビゲーション装置は、登録対象となる地点情報の属性を表す複数種類のパラメータを操作に応じて入力するとともに、登録された地点情報のリスト表示の指示を入力する情報入力手段と、様々な地点情報のパラメータの判定基準となる複数種類の基準パラメータを予め記憶し、情報入力手段から入力された地点情報のパラメータと基準パラメータとの間に共通性があると判定した場合には入力された地点情報を共通性の内容に対応する少なくとも１つの分類に振り分ける地点振り分け手段と、地点振り分け手段によって振り分けられた分類結果を分類情報として記憶し、情報入力手段によって入力されたリスト表示の指示に含まれている指定分類に応じてその指定分類に該当する地点情報のリストを地図表示手段に表示する地点登録手段とを備えたものである。
【０００７】
【発明の実施の形態】
以下、この発明の一実施の形態の構成について、図を参照しながら説明する。
実施の形態１．
図１は、実施の形態１における車載ナビゲーション装置の機能を示すブロック図である。図１において、地図情報取得手段１０１は、ＤＶＤ−ＲＯＭなどの記憶媒体に記憶された、あるいは、通信装置などを介して通信により入手した地図データから、道路情報や施設に関する情報を取得する。位置検出手段１０２は、車両の絶対位置を検出するＧＰＳ受信機、方位センサであるジャイロ、距離センサである車速パルスとから車両の概略位置を求め、前述の地図情報取得手段１０１で取得した地図データと概略位置からマップマッチングを行う。地図表示手段１０３は、地図情報取得手段１０１によって取得した自車周辺地図、あるいは、位置検出手段１０２によって算出した自車位置を地図上に表示する。経路探索手段１０４は、地図情報取得手段１０１によって取得した地図データを用いて入力された目的地までの経路を探索する。地点検索手段１０５は、地図情報取得手段１０１によって取得した地図データから地点情報を検出する。地点登録手段１０６は、内部に地点情報を登録するためのメモリを有し、地点検索手段１０５から抽出した地点情報を登録地情報として記憶する。地点振り分け手段１０７は、内部にメモリを有し、地点振り分け規則情報を記憶し、地点登録手段１０６で地点登録を行う際には、そのメモリに記憶された地点振り分け規則情報をもとに、登録された地点情報の分類を行う。情報入力手段１０８は、操作に応じて登録地情報である地点情報のパラメータおよび地点振り分け規則情報の基準パラメータを入力するとともに、地点登録手段１０６に登録された地点情報のリストを表示するための指令などを入力する。基準パラメータについては後で詳しく説明する。
【０００８】
図２は図１の機能を実現する車載ナビゲーション装置のハードウェアのブロック図である。図２において、ドライブ２０１は、図１の地図情報取得手段１０１に相当し、ＣＤ−ＲＯＭやＤＶＤ−ＲＯＭなどのメディアから地図データを読み出す。ＧＰＳ受信機２０２は、絶対位置や絶対方位を検出する。車速センサ２０３は、車両の所定走行距離毎に車速パルスを発生し、車両の速度を検出する。ＧＰＳ受信機２０２および車速センサ２０３は、図１の位置検出手段１０２に相当する。操作スイッチ２０４は、図１の情報入力手段１０８に相当し、ユーザが地点振り分け規則情報の基準パラメータを入力したり、ディスプレイ２０６の起動や縮尺スケールの切替え、各種情報を入力するために使用される。通信装置２０５は、ネットワークで接続されたサーバ等から地図データを取得するためのものであり、図１の地図情報取得手段１０１の一部に相当する。ディスプレイ２０６は、図１の地図表示手段１０３に相当し、自車周辺地図、経路誘導画面、地点検索画面、地点登録画面地図等を画面上に表示する。コントロールユニット２０７は、各種演算および装置全体の制御を行うものであり、図１の経路探索手段１０４、地点検索手段１０５、地点登録手段１０６、地点振り分け手段１０７の機能を実現する処理を行う。
【０００９】
図３は、地点登録手段１０６のメモリに登録された地点情報の構造を示す図である。地点情報は、経緯度パラメータ３０１、地点名称パラメータ３０２、住所名称パラメータ３０３、電話番号パラメータ３０４、およびシンボルＩＤパラメータ３０５の５種類のパラメータと、分類情報３０６で構成されている。経緯度パラメータ３０１は、登録された地点の位置の経度および緯度のデータである。地点名称パラメータ３０２は、登録された地点を指す名称の文字列のデータである。住所名称パラメータ３０３は、登録された地点が存在する地図上の住所名称を指す文字列のデータである。電話番号パラメータ３０４は、登録された地点が施設等を指す場合に、その施設の電話番号を指す数字列のデータである。シンボルＩＤ３０５は、登録された地点を地図表示上に表現する際に使用する登録地シンボルの種類を指す画像のデータである。分類情報３０６は、分類数分のビットを格納できる領域を確保し、後述する振り分け方法による分類結果を格納し、その地点が何に分類されているかを指すものである。各分類は、少なくとも１種類の地点情報のパラメータを有する。また、同じ種類の地点情報のパラメータを有する分類が２つ以上でもよい。ただし、各分類の地点情報のデータは異なる。例えば、「駅」、「高速道路インター」のように、異なる地点名称パラメータの分類が複数あってもよい。
【００１０】
図４は、地点振り分け手段１０７のメモリに記憶されている地点振り分け規則情報の構造を示す図である。この地点振り分け規則情報は、登録対象の様々な地点情報のパラメータの判断基準となる複数種類の基準パラメータ（４０６，４０７，４０８，４０９，４１０）で構成されている。すなわち、図４に示すように、左側の各項目の判定フラグは、対応する右側の項目の基準パラメータを振り分けの基準とする（有効）か、又は、基準としない（無効）かを判定するフラグである。すなわち、判定フラグ４０１は、経緯度基準パラメータ４０６を振り分け判定値とするか否かを判断するフラグで、有効であれば経緯度基準パラメータ４０６は振り分けの判定基準値となる。判定フラグ４０２は、地点名称基準パラメータ４０７を振り分け判断値とするか否かを判断するフラグで、有効であれば地点名称基準パラメータ４０７は判定基準値となる。判定フラグ４０３は、住所名称基準パラメータ４０８を振り分け判定値とするか否かを判断するフラグで、有効であれば住所名称基準パラメータ４０８は判断基準値となる。判定フラグ４０４は、電話番号基準パラメータ４０９を振り分け判定値とするか否かを判断するフラグで、有効であれば電話番号基準パラメータ４０９は判定基準値となる。判定フラグ４０５は、シンボルＩＤ基準パラメータ４１０を振り分け判定値とするか否かを判断するフラグで、有効であればシンボルＩＤ基準パラメータ４１０は判定基準値となる。
【００１１】
図５は、図２のコントロールユニット２０７によって実行される地点登録処理のフローチャートである。ステップＳＴ５０１では、地点検索手段１０５により、あるいは表示された地図上で登録する地点情報を抽出する。ステップＳＴ５０２では、地点振り分け手段１０７によって、図４の地点振り分け規則情報の基準パラメータを元に、登録対象となる地点情報の振り分け処理を行う。ステップＳＴ５０３では、ステップＳＴ５０２で振り分けられた結果を図３の地点情報における分類情報３０６に格納する。ステップＳＴ５０４では、分類情報が反映された地点情報を登録し、この地点登録処理を完了する。
【００１２】
図６は、図５の地点登録処理のフローチャートにおけるステップＳＴ５０２の分類情報生成処理の詳細フローチャートである。この分類情報生成処理は、図１の地点振り分け手段１０７の動作に該当する。
【００１３】
まず、ステップＳＴ６０１では、登録対象の地点の分類情報を初期化し、次にステップＳＴ６０２において分類カウンタを初期化する。例えば、分類カウンタの値を初期値「１」にセットする。そして、ｎの値を１つずつ増加しながら、分類カウンタの値が分類数（この実施の形態１では、「６」）に達するまで、ステップＳＴ６０３からステップＳＴ６０７までのループを繰り返す。
【００１４】
ステップＳＴ６０３では、各分類毎に、振り分け先に対応する地点振り分け規則情報を参照し、振り分け判定方式を決定する。例えば、振り分け規則情報の判定フラグ４１０が有効であれば、経緯度基準パラメータ４０６を判定基準値として、ステップＳＴ６０４に処理を移行する。
【００１５】
ステップＳＴ６０４では、地点振り分け規則情報の各フラグが有効であるすべての項目に対して、地点振り分け規則情報の各基準パラメータと登録された地点情報の各パラメータとを比較して、振り分けするか否かを判定する。すなわち、入力された地点情報のパラメータの一部として基準パラメータが含まれている場合には、共通性があると判定して振り分け処理を行なう。地点振り分け規則情報の各基準パラメータに応じた比較方法は以下のように行なう。
【００１６】
例えば、地点振り分け規則情報の経緯度判定フラグ４０１が有効で、登録された地点情報の経緯度パラメータ３０１と経緯度基準パラメータ４０６とを比較する場合には、両経緯度間の直線距離を算出し、地点振り分け手段１０７に予め用意された距離（例えば１００ｍ）より近いかどうかの距離判定を行う。すなわち、両経緯度のデータが「度」および「分」のデータまで同一で、「秒」の単位において所定値以下のわずかな差がある場合に近いと判定する。この場合には、基準パラメータの「度」および「分」のデータは、入力された地点情報のパラメータの一部である「度」および「分」のデータに含まれている。したがって、両者のデータに共通性があると判定する。なお、経緯度パラメータ３０１および経緯度基準パラメータ４０６については、図１の地点検索手段１０５によって、地図情報取得手段１０１から得られる。
【００１７】
また、地点振り分け規則情報の名称判定フラグ４０２が有効で、登録された地点情報の地点名称パラメータ３０２と地点名称基準パラメータ４０７とを比較する場合には、登録された地点情報の地点名称パラメータ３０２の文字列中に、地点名称基準パラメータ４０７の文字列を含んでいるかどうかの文字列比較を行う。例えば、登録された地点情報の地点名称パラメータ３０２の文字列が「おおさかえき」や「おおさかじょう」であり、地点名称基準パラメータ４０７の文字列が「おおさか」である場合には、登録された地点情報のパラメータの文字列に、地点振り分け規則情報の基準パラメータの文字列を含んでいる。
【００１８】
また、地点振り分け規則情報の住所名称判定フラグ４０３が有効で、登録された地点情報の住所名称パラメータ３０３と住所名称基準パラメータ４０８とを比較する場合には、登録された地点情報の住所名称パラメータ３０３の文字列中に、住所名称基準パラメータ４０８の文字列を含んでいるかどうかの文字列比較を行う。例えば、登録された地点情報の住所名称パラメータ３０３の文字列が「東京都××区×町２−１−３６」や「東京都△△市△町１−２０−２３」であり、住所名称基準パラメータ４０８の文字列が「東京都」である場合には、登録された地点情報のパラメータの文字列に、地点振り分け規則情報の基準パラメータの文字列を含んでいる。
【００１９】
また、地点振り分け規則情報の電話番号判定フラグ４０４が有効で、登録された地点情報の電話番号パラメータ３０４と電話番号基準パラメータ４０９とを比較する場合、電話番号基準パラメータ４０９の数字列が登録された地点情報の電話番号パラメータ３０４の数字列先頭から完全に含まれているかどうかの数字列前方一致比較を行う。例えば、電話番号基準パラメータ４０９の数字列が「０６」であり、判定対象の登録された電話番号パラメータ３０４が「０６−××××−××××」の場合は、登録された地点情報の電話番号のパラメータの数字列先頭に、地点振り分け規則情報の基準パラメータの電話番号の数字列を完全に含んでいる。
【００２０】
また、地点振り分け規則情報のシンボルＩＤ判定フラグ４０５が有効で、登録された地点情報のシンボルＩＤパラメータ３０５と、基準パラメータ４１０のシンボルＩＤとを比較する場合、両シンボルＩＤが等しいかの同一比較を行なう。
【００２１】
これらの比較を各フラグが有効であるすべての項目に対して行なった結果、すべての項目において有効であった登録された地点情報が分類対象となり、ステップＳＴ６０５の分類情報ビットアサイン処理に移行する。
【００２２】
ステップＳＴ６０５の分類情報ビットアサイン処理では、後述する繰り返しカウンタに基づき、分類対象となる登録対象の地点情報の分類情報３０６のビットを分類毎に有効にする。ステップＳＴ６０４での比較の結果、登録対象の地点情報が分類対象とならない場合には、ステップＳＴ６０５には移行せず、分類情報は有効にならない。
【００２３】
ステップＳＴ６０４において分類に振り分ける判定がなされて、ステップＳＴ６０５の分類情報ビットアサイン処理を行なって分類情報を有効にした場合、又は、ステップＳＴ６０４において分類に振り分けない判定がなされて、分類情報ビットアサイン処理がされない場合には、いずれもステップＳＴ６０６の処理に移行して、分類カウンタの値を増加する。
【００２４】
次に、ステップＳＴ６０７において、増加した分類カウンタの値が分類数を超えたか否かを判定する。分類カウンタの値が分類数以下である場合には、ステップＳＴ６０３に移行して、次の分類の地点振り分け規則情報を解釈する。この後は、ステップＳＴ６０４の判定結果に応じて、ステップＳＴ６０５からステップＳＴ６０６に移行するか、又は、ステップＳＴ６０５を経ずに直接にステップＳＴ６０６に移行する。そして、ステップＳＴ６０７において、増加した分類カウンタの値が分類数を超えたか否かを判定する。分類カウンタの値が分類数を超えない場合には、上記ループを繰り返し、分類カウンタの値が分類数を超えたときは、この分類情報生成処理のフローを完了して、図５の地点登録処理のフローに戻る。なお、ステップＳＴ６０３で参照する地点振り分け規則情報の基準パラメータ、ステップＳＴ６０５で設定する分類情報値は分類毎に異なる。
【００２５】
図７は、地点振り分け手段１０７のメモリに記憶される地点振り分け規則情報の基準パラメータの設定画面である。この設定画面には、「名称」、「経緯度」、「電話」、「場所」、「地点マーク」の各項目を表す指定アイコンおよび各項目のデータ表示エリア７０１ないし７０５、並びに、「完了」のアイコン７０６が表示されている。なお、上記したように、各項目は必要に応じて新規設定、変更、削除が可能である。
【００２６】
図７の画面において、入力項目「名称」７０１に入力された基準パラメータ「おおさか」は、図４の地点名称基準パラメータ４０７に反映され、地点名称判定フラグ４０２が有効になる。入力項目「経緯度」７０２に入力された値「１３５．３０．００Ｗ：３４．４０．００Ｎ」は、経緯度基準パラメータ４０６に反映され、経緯度判定フラグ４０１が有効になる。入力項目「電話」７０３に入力された値「０６」は、電話番号基準パラメータ４０９に反映され、電話番号判定フラグ４０４が有効になる。入力項目「場所」７０４に入力された値「大阪市」は、住所名称基準パラメータ４０８に反映され、住所名称判定フラグ４０３が有効になる。入力項目「地点マーク」７０５に選択表示されたマーク「“！”」はシンボルＩＤ基準パラメータとしてシンボルＩＤに反映され、シンボルＩＤ判定フラグ４０５が有効になる。
【００２７】
情報入力手段１０８によって、入力項目「完了ボタン」７０６に対応するスイッチの押下が検知されると、上記各入力項目において有効な値は地点振り分け手段１０７によって地点振り分け規則情報に反映される。上記入力項目において有効な基準パラメータは１つのみでもよく、複数個でもよい。図７の画面から設定された地点振り分け規則情報の基準パラメータを図６に示す分類情報生成処理で使用する。
【００２８】
図８、図９、図１０、図１１、図１２、図１３は、情報入力手段１０８（図２の操作スイッチ２０４）から入力されたリスト表示の指令に応じて、地図表示手段１０３（図２のディスプレイ２０６）に表示された登録された地点情報のリスト画面の表示例である。すなわち、図５に示すフローチャートの地点登録処理によって分類情報が付加されて登録された地点情報は、地点登録手段１０６（図２のコントロールユニット２０７）によって地図表示手段１０３に表示される。地点情報中の分類情報から該当する地点情報は、図８、図９、図１０、図１１、図１２、図１３に示す分類表示モードによって分類（分類１ないし分類６）毎に表示される。
【００２９】
図８では、分類１の地点振り分け規則情報において、判定フラグ（地点名称）４０２が有効で、地点名称基準パラメータ４０７のパラメータが文字列「ターミナル」と設定されており、この地点振り分け規則情報に基づく２件の地点情報が、画面下部ボタン「分類１」の押下でリスト表示される。
【００３０】
図９では、分類２の地点振り分け規則情報において、同じく判定フラグ（地点名称）４０２が有効で、地点名称基準パラメータ４０７が文字列「空港」と設定されており、この地点振り分け規則情報に基づく１件の地点情報が、画面下部の「分類２」の押下でリスト表示される。
【００３１】
図１０では、分類３の地点振り分け規則情報において、判定フラグ（シンボルＩＤ）４０５が有効で、シンボルＩＤ基準パラメータ４１０がシンボル「“！”」を示すＩＤ値で設定されており、この地点振り分け規則情報に基づく４件の地点情報が、画面下部ボタン「分類３」の押下でリスト表示される。
【００３２】
図１１では、分類４の地点振り分け規則情報において、判定フラグ（電話番号）４０４が有効で、電話番号基準パラメータ４０９が数字列「０７９５」と設定されており、この地点振り分け規則情報に基づく４件の地点情報が、画面下部ボタン「分類４」の押下でリスト表示される。
【００３３】
図１２では、分類５の地点振り分け規則情報において、判定フラグ（経緯度）４０１が有効で、経緯度基準パラメータ４０６が経緯度「１３５．３０．００Ｗ：３４．４０．００Ｎ」（東経１３５度３０分０秒、北緯３４度４０分０秒）を指す値で設定されており、この地点振り分け規則情報に基づく４件の地点情報が、画面下部ボタン「分類５」の押下でリスト表示される。
【００３４】
図１３では、分類６の地点振り分け規則情報において、判定フラグ（住所名称）４０３が有効で、住所名称基準パラメータ４０８が文字列「大阪市」と設定されており、この地点振り分け規則情報に基づく５件の地点情報が、画面下部ボタン「分類６」の押下でリスト表示される。
【００３５】
このように、画面下部ボタンの「分類１」〜「分類６」を切換えることにより、分類毎に異なる地点振り分け規則情報に基づいた地点リストを表示する。図８ないし図１３の例では、各分類毎に１種類の基準パラメータに基づいて分類する構成にしたが、２種類以上の基準パラメータに基づいて分類する構成にしてもよい。例えば、シンボルＩＤ基準パラメータ４１０および住所名称基準パラメータ４０８に基づいて地点情報を分類するように構成してもよい。また、図８および図９の例に示したように、同じ種類（地点名称）で異なる地点名称基準パラメータ（ターミナル、空港）に基づく地点情報を、それぞれ異なる分類（分類１、分類２）に振り分ける構成にしてもよい。
【００３６】
なお、上記実施の形態１においては、地点登録時にその地点の振り分けを行なって分類を記憶するようにしているが、地点を登録した後に、ユーザの指示により分類を行なうようにしてもよい。あるいは、振り分け規則である分類が新しく設定されたり、変更、削除された場合には、その都度、全ての登録された地点情報に対して自動的に分類を行なうようにしてもよい。
【００３７】
以上のように、この実施の形態１によれば、登録対象となる地点情報の属性を表す複数種類のパラメータを操作に応じて入力するとともに、登録された地点情報のリスト表示の指示を入力する情報入力手段１０８と、様々な地点情報のパラメータの判定基準となる複数種類の基準パラメータを予め記憶し、情報入力手段１０８から入力された地点情報のパラメータと基準パラメータとの間に共通性があると判定した場合には、入力された地点情報を共通性の内容に対応する分類に振り分ける地点振り分け手段１０７と、地点振り分け手段１０７によって振り分けられた分類結果を分類情報として記憶し、情報入力手段１０８によって入力されたリスト表示の指示に含まれている指定分類（分類１ないし分類６の中の１つの分類）に応じて、その指定分類に該当する地点情報のリストを地図表示手段１０３に表示する地点登録手段１０６とを備えたので、ユーザが登録した地点を、ユーザが設定する分類規則によりジャンル化し、所望の地点を容易に探し出すことができるという効果、および、ユーザが予め分類規則を設定することにより、それ以降の地点登録時には自動でジャンル化され、地点登録の度にユーザ自身が分類する手間を省けるという効果がある。
【００３８】
また、上記実施の形態１によれば、地点振り分け手段１０７は、入力された地点情報のパラメータの一部として基準パラメータが含まれている場合に共通性があると判定するので、基準パラメータの文字列や数字列を容易に設定できるという効果がある。
【００３９】
また、上記実施の形態１によれば、地点振り分け手段１０７は、入力された地点情報のパラメータが経緯度の値である場合には、基準パラメータの経緯度の値からの距離が所定範囲（例えば、１００ｍ）である場合に共通性があると判定するので、ある地点から近い範囲に存在する施設を容易に検索できるという効果がある。
【００４０】
また、上記実施の形態１によれば、地点振り分け手段１０７は、入力された地点情報のパラメータが電話番号である場合には、基準パラメータの電話番号の数字列が地点情報のパラメータの数字列の先頭部分と一致する場合に共通性があると判定するので、基準パラメータとして、例えば市外局番だけを登録するだけでよいという効果がある。
【００４１】
また、上記実施の形態１によれば、地点振り分け手段１０７は、入力された地点情報のパラメータが名称を表す文字列である場合には、基準パラメータの文字列が地点情報のパラメータの文字列の一部と一致する場合に共通性があると判定するので、基準パラメータとして、例えば「ターミナル」、「空港」、「おおさか」などのように、大まかな名称を表す簡単な文字列だけを登録するだけでよいという効果がある。
【００４２】
また、上記実施の形態１によれば、地点振り分け手段は、入力された地点情報のパラメータがシンボルを表す画像である場合には基準パラメータの画像が地点情報のパラメータの画像と一致する場合に共通性があると判定するので、地点情報の分類登録をイメージによって極めて簡単に行なえるという効果がある。
【００４３】
また、上記実施の形態１によれば、地点振り分け手段１０７は、情報入力手段１０８によって基準パラメータを変更する指示が入力された場合には、その変更指示に従って記憶している基準パラメータを更新するので、車両が走行する地域やユーザに変更があった場合でも柔軟に対応できるという効果がある。
【００４４】
【発明の効果】
以上のように、この発明によれば、車載ナビゲーション装置を、車載ナビゲーション装置は、登録対象となる地点情報の属性を表す複数種類のパラメータを操作に応じて入力するとともに、登録された地点情報のリスト表示の指示を入力する情報入力手段と、様々な地点情報のパラメータの判定基準となる複数種類の基準パラメータを予め記憶し、情報入力手段から入力された地点情報のパラメータと基準パラメータとの間に共通性があると判定した場合には入力された地点情報を共通性の内容に対応する少なくとも１つの分類に振り分ける地点振り分け手段と、地点振り分け手段によって振り分けられた分類結果を分類情報として記憶し、情報入力手段によって入力されたリスト表示の指示に含まれている指定分類に応じてその指定分類に該当する地点情報のリストを地図表示手段に表示する地点登録手段とを備えたので、ユーザが登録した地点を、ユーザが設定する分類規則によりジャンル化し、所望の地点を容易に探し出すことができるという効果、および、ユーザが予め分類規則を設定することにより、それ以降の地点登録時には自動でジャンル化され、地点登録の度にユーザ自身が分類する手間を省けるという効果がある。
【図面の簡単な説明】
【図１】この発明の実施の形態１における車載ナビゲーション装置の機能を示すブロック図である。
【図２】図１の機能を実現する車載ナビゲーション装置のハードウェアのブロック図である。
【図３】実施の形態１の車載ナビゲーション装置に登録された地点情報の構造を示す図である。
【図４】実施の形態１の車載ナビゲーション装置における地点振り分け規則情報の構造を示す図である。
【図５】実施の形態１における地点登録処理のフローチャートである。
【図６】図５における分類情報生成処理の詳細フローチャートである。
【図７】実施の形態１における振り分け設定の画面の例を示す図である。
【図８】実施の形態１における地点情報のリスト画面の例（分類１）を示す図である。
【図９】実施の形態１における地点情報のリスト画面の例（分類２）を示す図である。
【図１０】実施の形態１における地点情報のリスト画面の例（分類３）を示す図である。
【図１１】実施の形態１における地点情報のリスト画面の例（分類４）を示す図である。
【図１２】実施の形態１における地点情報のリスト画面の例（分類５）を示す図である。
【図１３】実施の形態１における地点情報のリスト画面の例（分類６）を示す図である。
【符号の説明】
１０１  地図情報取得手段、１０２  位置検出手段、１０３  地図表示手段、１０４  経路探索手段、１０５  地点検索手段、１０６  地点登録手段、１０７地点振り分け手段、１０８  情報入力手段、２０１  ドライブ（地図情報取得手段）、２０２  ＧＰＳ受信機（位置検出手段）、２０３  車速センサ（位置検出手段）、２０４  操作スイッチ（情報入力手段）、２０５  通信装置（地図情報取得手段）、２０６  ディスプレイ（地図表示手段）、２０７  コントロールユニット（経路探索手段、地点検索手段、地点登録手段、地点振り分け手段）。
【図１】
2004279189.tif 000003
【図２】
2004279189.tif 000004
【図３】
2004279189.tif 000005
【図４】
2004279189.tif 000006
【図５】
2004279189.tif 000007
【図６】
2004279189.tif 000008
【図７】
2004279189.tif 000009
【図８】
2004279189.tif 000010
【図９】
2004279189.tif 000011
【図１０】
2004279189.tif 000012
【図１１】
2004279189.tif 000013
【図１２】
2004279189.tif 000014
【図１３】
2004279189.tif 000015